【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
第１の要素（１０）と、第２の要素（１２）とを備える組立玩具であって、
前記第１の要素（１０）は、第１の係合面（１４）と、第１の係合機構（１６）とを含み、
前記第２の要素（１２）は、第２の係合面（２４）と、第２の係合機構（２６）とを含み、
一方の前記要素（１０、１２）の前記係合機構（１６、２６）を、他方の前記要素（１０、１２）の前記係合機構（１６、２６）と係合させる作用が、前記係合面（１４、２４）を付勢し互いに摩擦係合させるように前記係合機構（１６、２６）が構成された、組立玩具。
【請求項２】
前記第１の係合機構（１６）は、
前記第１の要素の前記係合面（１４）の下方に延在する凹部（３０）を規定する壁部（２８）と、
前記凹部（３０）にわたり全体的ではなく部分的に前記凹部（３０）の壁部から延在する第１のスプライン（３２）であって、
前記凹部（３０）の内側に面する内面（３４）と、前記凹部（３０）の外側に面する外面（３６）とを含む第１のスプライン（３２）とを備え、
前記第２の係合機構（２６）は、
前記第２の要素の前記係合面（２４）の上方に延在する第２のスプライン（４２）であって、
前記第２の要素の前記係合面（２４）に面する内面（４４）と、前記第２の要素の前記係合面（２４）から反対の方向に面する外面（４６）とを含む第２のスプライン（４２）を備え、
前記第２のスプライン（４２）が前記凹部（３０）に進入し、前記スプライン（３２、４２）の前記内面（３４、４４）が互いに係合されると、前記第１の要素（１０）及び前記第２の要素（１２）の係合面（１４、２４）が付勢され互いに摩擦係合する、請求項１に記載の組立玩具。
【請求項３】
前記第１の要素の係合用の前記スプライン（３２）及び前記第２の要素の係合用の前記スプライン（４２）が、それぞれの内面（３４、４４）に沿って、互いに点（３８、４８）で接触するように構成された、請求項２に記載の組立玩具。
【請求項４】
組み立て前は、前記第１の要素の係合用の前記スプライン（３２）上の前記接点は、前記第１の要素の前記係合面（１４）から第１の距離（ｘ）の位置にあり、前記第２の要素の係合用の前記スプライン（４２）上の前記接点は、前記第２の要素の前記係合面（２４）から第２の距離（ｙ）の位置にあり、前記第２の距離（ｙ）は前記第１の距離（ｘ）よりも短い、請求項３に記載の組立玩具。
【請求項５】
前記係合機構（１６、２６）の少なくとも一方は、細長く、ほぼ直線状に延在する、請求項１から４までのいずれか一項に記載の組立玩具。
【請求項６】
前記第１の要素（１０）は、前記第１のスプライン（３２）とほぼ同様の第３のスプライン（５０）であって、前記凹部（３０）にわたり全体ではなく部分的に前記凹部の壁部から前記第１のスプライン（３２）に向かって延在する第３のスプライン（５０）を備え、
前記第２の要素（１２）は、前記第２のスプライン（４２）とほぼ同様の第４のスプライン（５２）であって、前記第２の要素の前記係合面（２４）から、前記第２のスプライン（４２）から離れる方向に延在する第４のスプライン（５２）を備え、
前記第４のスプライン（５２）が前記凹部（３０）に進入し、前記スプラインの前記内面が互いに係合されると、前記第１の要素の前記係合面（１４）及び前記第２の要素の前記係合面（２４）が互いに摩擦係合する、請求項２から５までのいずれか一項に記載の組立玩具。
【請求項７】
前記第１の係合機構（１６）が、前記凹部（３０）の前記壁部から延在する追加スプラインを備える、請求項２から６までのいずれか一項に記載の組立玩具。
【請求項８】
前記第２の係合機構（２６）が、前記第２の要素の前記係合面（２４）から延在する追加スプラインを備える、請求項２から６までに記載の組立玩具。
【請求項９】
前記第１の係合機構（１６）が、前記凹部（３０）の前記壁部から延在する追加スプラインを備え、
前記第２の係合機構（２６）が、前記第２の要素の係合面（２４）から延在する追加スプラインを備え、
前記第１の要素の前記係合機構の前記スプラインは、前記第２の要素の前記係合機構の前記スプラインの幅よりも大きい間隔で離間しており、前記第２の要素の係合用の前記スプラインが前記凹部（３０）に進入し、前記第１の要素の係合用の前記スプラインの一部の前記内面が、前記第２の要素の係合用の前記スプラインの一部の前記内面と係合されると、前記第２の要素の前記係合機構の係合された前記スプラインは、前記第１の要素の前記係合機構の前記スプラインのうちの１つのみとそれぞれ実質的に接触し、前記第２の要素の前記係合機構の残りの前記スプラインは、前記第１の要素の前記係合機構の残りの前記スプラインから離間される、請求項２から６までのいずれか一項に記載の組立玩具。
【請求項１０】
前記第２の要素の前記係合機構の前記スプラインが前記凹部（３０）に進入し、前記第１の要素の係合用の前記スプラインの一部の前記内面が、前記第２の要素の係合用の前記スプラインの一部の前記内面と係合されると、前記第２の要素の前記係合機構の最大４つの前記スプラインが、前記第１の要素の前記係合機構の前記スプラインのうちの１つのみとそれぞれ実質的に接触し、前記第２の要素の前記係合機構の残りの前記スプラインは、前記第１の要素の前記係合機構の残りの前記スプラインから離間されるように構成された、請求項９に記載の組立玩具。
【請求項１１】
前記第２の要素の前記係合機構の前記スプラインが前記凹部（３０）に進入し、前記第１の要素の係合用の前記スプラインの一部の前記内面が、前記第２の要素の係合用の前記スプラインの一部の前記内面と係合されると、前記第２の要素の前記係合機構の最大２つの前記スプラインが、前記第１の要素の前記係合機構の前記スプラインのうちの１つのみとそれぞれ実質的に接触し、前記第２の要素の前記係合機構の残りの前記スプラインは、前記第１の要素の前記係合機構の残りの前記スプラインから離間されるように構成された、請求項９に記載の組立玩具。
【請求項１２】
前記第１の要素の前記係合機構の前記スプラインは、前記第２の要素の前記係合機構の前記スプラインよりも短い、請求項２から１１までのいずれか一項に記載の組立玩具。
【請求項１３】
前記第１の要素の前記係合面（１４）に最も近い前記第１の要素の前記係合機構の前記スプラインは、前記第１の要素の前記係合面（１４）から最も離れた前記第１の要素の前記係合機構の前記スプラインよりも短い、請求項２から１２までのいずれか一項に記載の組立玩具。
【請求項１４】
前記第２の要素の前記係合面（２４）に最も近い前記第２の要素の前記係合機構の前記スプラインは、前記第２の要素の前記係合面（２４）から最も離れた前記第２の要素の前記係合機構の前記スプラインよりも長く、及び／又は幅広である、請求項１２又は１３に記載の組立玩具。
【請求項１５】
前記組立玩具の前記要素は外壁部を含み、
前記係合面（１４、２４）が前記外壁部に設けられている、請求項１から１４までのいずれか一項に記載の組立玩具。
【請求項１６】
前記第１の要素の係合面（７１）は、前記第１の要素（１０）から延在する第１の係合機構のスプライン（５４、６２）上に形成され、
前記第２の要素の係合面（７３）は、前記第２の要素から延在する第２の要素の係合用のスプライン（６４、７０）上に形成され、
前記第１の要素の係合機構（７５）は、前記第１の要素の係合機構の追加スプライン（５６Ａ、５８Ａ、６０Ａ）の間の領域に形成され、
前記第２の要素の係合機構（７７）は、前記第２の要素（１２）から延在し、前記第１の要素の前記係合機構（７５）を押圧する押しスプライン（６６Ａ、６８Ａ）の端部である、請求項１に記載の組立玩具。
【請求項１７】
前記第２の要素の前記押しスプライン（６６Ａ、６８Ａ）は、前記第２の要素の前記係合面（７３）を規定する前記スプライン（６４、７０）よりも長いスプラインである、請求項１６に記載の組立玩具。
【請求項１８】
前記第１の要素の前記係合面（７１）を備える前記第１の要素の係合用の前記スプライン（５４、６２）は、前記第１の要素の前記係合機構の前記追加スプライン（５６Ａ、５８Ａ、６０Ａ）よりも長く、及び／又は幅広である、請求項１６又は１７に記載の組立玩具。
【請求項１９】
前記第１の要素の前記スプライン（５４、５６Ａ、５８Ａ、６０Ａ、６２）は、前記第２の要素の前記スプライン（５２、６４、６６Ａ、６８Ａ、７０、４２）の幅よりも大きい間隔だけ離間されている、請求項１６から１８までのいずれか一項に記載の組立玩具。
【請求項２０】
前記第１の要素の前記係合面（７１）を備える前記第１の係合機構の前記スプライン（５４、６２）は、前記第１の要素の係合用の他の前記スプライン（５６Ａ、５８Ａ、６０Ａ）よりも、前記第１の要素の前記係合面（７１）の領域において幅広で、前記第１の要素の係合用の前記スプライン（５４、５６Ａ、５８Ａ、６０Ａ、６２）を、前記第２の要素の係合用の前記スプライン（５２、６４、６６Ａ、６８Ａ、７０、４２）の間へ押し込む作用が、前記スプライン（５４、６４；６２、７０）の前記係合面（７１、７３）を付勢し互いに摩擦係合させる、請求項１６から１９までのいずれか一項に記載の組立玩具。
【請求項２１】
凸部（４０）は、前記第２の要素の前記係合面（２４）の上方に延在し、前記第２の要素の前記係合機構の前記スプラインが前記凸部（４０）から延在する、請求項１から２０までのいずれか一項に記載の組立玩具。
【請求項２２】
前記凹部（３０）及び前記凸部（４０）が、相補的な形状である、請求項２１に記載の組立玩具。
【請求項２３】
前記凹部（３０）は断面がくぼみ形状であり、前記凸部（４０）は断面が中高形状である、請求項２１又は２２に記載の組立玩具。
【請求項２４】
前記凹部（３０）及び前記凸部（４０）は、断面が円弧形である、請求項２１から２３までのいずれか一項に記載の組立玩具。
【請求項２５】
前記第１の要素（１０）と係合する第３の要素（８０）を更に備え、前記第３の要素（８０）は、芯軸（８２）と、前記軸（８２）から延在し、前記第１の要素（１０）の少なくとも１つの前記係合機構（１６）と係合する複数のスプライン（８４）を備える、請求項１から２４までのいずれか一項に記載の組立玩具。
【請求項２６】
請求項２から２５までのいずれか一項に記載の組立玩具の製造方法であって、
前記玩具の要素のための射出成形型を作製するステップと、
製造材料の射出点がスプラインを規定する前記型の機構部に隣接し、完成した前記要素において、前記射出点がスプラインの基部に隣接する、又はスプラインのほぼ頂部に位置するように前記型を構成するステップとを含む、方法。